(57)【要約】【課題】Ｄｕａｌ  Ｃｏｎｎｅｃｔｉｖｉｔｙにおいてアップリンクデータを効率的に送信するための技術を提供することである。【解決手段】本発明の一態様は、複数の基地局と同時通信するＤｕａｌ  Ｃｏｎｎｅｃｔｉｖｉｔｙ機能を有するユーザ装置であって、送信対象のアップリンクデータを格納する送信バッファと、前記送信バッファに格納されているデータ量を管理するバッファ状態管理部と、前記送信バッファに格納されているデータ量に対する閾値と、前記格納されているデータ量が前記閾値以下であるとき、前記送信バッファに格納されているアップリンクデータを送信する第１基地局とを示すスプリットトリガ情報を受信し、前記送信バッファに格納されているデータ量が前記閾値以下であるか否かに応じて、前記複数の基地局から前記送信バッファに格納されているアップリンクデータを送信する基地局を選択する送信制御部とを有するユーザ装置に関する。【選択図】図４
2015177530.tif 000002
【特許請求の範囲】
【請求項１】
複数の基地局と同時通信するＤｕａｌ  Ｃｏｎｎｅｃｔｉｖｉｔｙ機能を有するユーザ装置であって、
送信対象のアップリンクデータを格納する送信バッファと、
前記送信バッファに格納されているデータ量を管理するバッファ状態管理部と、
前記送信バッファに格納されているデータ量に対する閾値と、前記格納されているデータ量が前記閾値以下であるとき、前記送信バッファに格納されているアップリンクデータを送信する第１基地局とを示すスプリットトリガ情報を受信し、前記送信バッファに格納されているデータ量が前記閾値以下であるか否かに応じて、前記複数の基地局から前記送信バッファに格納されているアップリンクデータを送信する基地局を選択する送信制御部と、
を有するユーザ装置。
【請求項２】
前記送信制御部は、前記送信バッファに格納されているデータ量が前記閾値以下であるとき、前記送信バッファに格納されているアップリンクデータを前記第１基地局に送信し、前記送信バッファに格納されているデータ量が前記閾値より大きいとき、前記送信バッファに格納されているアップリンクデータを前記第１基地局と前記複数の基地局の第２基地局とに送信する、請求項１記載のユーザ装置。
【請求項３】
前記送信制御部は、前記送信バッファに格納されているデータ量が前記閾値より大きいとき、前記送信バッファに格納されているアップリンクデータのうち、前記閾値に相当するデータ量のアップリンクデータを前記第１基地局に送信し、前記閾値を超過したデータ量のアップリンクデータを前記第２基地局に送信する、請求項２記載のユーザ装置。
【請求項４】
前記送信制御部は、前記アップリンクデータを送信するための無線リソースを要求するため、前記第１基地局及び前記第２基地局に各自に送信されるアップリンクデータのデータ量を通知する、請求項３記載のユーザ装置。
【請求項５】
前記送信制御部は、前記送信バッファに格納されているデータ量の各範囲と、該範囲を示すインデックス値との関連付けを示す対応情報を有し、
前記送信制御部は、前記閾値を対応するインデックス値を含む前記スプリットトリガ情報を受信する、請求項１乃至４何れか一項記載のユーザ装置。
【請求項６】
前記送信制御部は、対応するインデックス値により前記送信されるアップリンクデータのデータ量を前記複数の基地局に通知する、請求項５記載のユーザ装置。
【請求項７】
前記送信制御部は、前記インデックス値をＢＳＲ（Ｂｕｆｆｅｒ  Ｓｔａｔｕｓ  Ｒｅｐｏｒｔ）により前記第１基地局及び前記第２基地局に通知する、請求項６記載のユーザ装置。
【請求項８】
前記送信制御部は、ベアラスプリットがＲＲＣ（Ｒａｄｉｏ  Ｒｅｓｏｕｒｃｅ  Ｃｏｎｔｒｏｌ）により設定される際に、Ｄｕａｌ  Ｃｏｎｎｅｃｔｉｖｉｔｙのマスタ基地局から前記スプリットトリガ情報を受信する、請求項１乃至７何れか一項記載のユーザ装置。
【請求項９】
複数の基地局と同時通信するＤｕａｌ  Ｃｏｎｎｅｃｔｉｖｉｔｙ機能を有するユーザ装置におけるアップリンクデータ送信方法であって、
送信対象のアップリンクデータを格納する送信バッファに格納されているデータ量に対する閾値と、前記格納されているデータ量が前記閾値以下であるとき、前記送信バッファに格納されているアップリンクデータを送信する第１基地局とを示すスプリットトリガ情報を受信するステップと、
前記送信バッファに格納されているデータ量が前記閾値以下であるか判定するステップと、
前記判定の結果に応じて、前記複数の基地局から前記送信バッファに格納されているアップリンクデータを送信する基地局を選択するステップと、
前記選択された基地局に前記アップリンクデータを送信するステップと、
を有するアップリンクデータ送信方法。
【発明の詳細な説明】
【技術分野】
【０００１】
本発明は、無線通信システムに関する。
【背景技術】
【０００２】
現在、３ＧＰＰ（３ｒｄ  Ｇｅｎｅｒａｔｉｏｎ  Ｐａｒｔｎｅｒｓｈｉｐ  Ｐｒｏｊｅｃｔ）は、ＬＴＥ（Ｌｏｎｇ  Ｔｅｒｍ  Ｅｖｏｌｕｔｉｏｎ）の次世代の通信規格として、ＬＴＥ−Ａｄｖａｎｃｅｄの高機能化を図る仕様策定を進めている。ＬＴＥ−Ａｄｖａｎｃｅｄシステムでは、ＬＴＥシステムとのバックワードコンパチビリティを確保しつつ、ＬＴＥシステムを上回るスループットを実現するため、キャリアアグリゲーション（Ｃａｒｒｉｅｒ  Ａｇｇｒｅｇａｔｉｏｎ：ＣＡ）技術が導入される。キャリアアグリゲーションでは、ＬＴＥシステムによりサポートされている２０ＭＨｚの最大帯域幅を有するコンポーネントキャリア（Ｃｏｍｐｏｎｅｎｔ  Ｃａｒｒｉｅｒ：ＣＣ）が基本コンポーネントとして利用され、これら複数のコンポーネントキャリアを同時に用いることによって、より広帯域な通信を実現することが図られている。
【０００３】
キャリアアグリゲーションでは、ユーザ装置（Ｕｓｅｒ  Ｅｑｕｉｐｍｅｎｔ：ＵＥ）は、複数のコンポーネントキャリアを同時に用いて基地局（ｅｖｏｌｖｅｄ  ＮｏｄｅＢ：ｅＮＢ）と通信することが可能である。キャリアアグリゲーションでは、ユーザ装置との接続性を担保する信頼性の高いプライマリセル（Ｐｒｉｍａｒｙ  Ｃｅｌｌ：ＰＣｅｌｌ）と、プライマリセルに接続中のユーザ装置に追加的に設定されるセカンダリセル（Ｓｅｃｏｎｄａｒｙ  Ｃｅｌｌ：ＳＣｅｌｌ）とが設定される。
【０００４】
プライマリセルは、ＬＴＥシステムのサービングセルと同様のセルであり、ユーザ装置とネットワークとの間の接続性を担保するためのセルである。他方、セカンダリセルは、プライマリセルに追加されてユーザ装置に設定されるセルである。セカンダリセルの追加及び削除は、ＲＲＣ（Ｒａｄｉｏ  Ｒｅｓｏｕｒｃｅ  Ｃｏｎｔｒｏｌ）のコンフィギュレーション（Ｃｏｎｆｉｇｕｒａｔｉｏｎ）により実行される。
【０００５】
ＬＴＥ  Ｒｅｌｅａｓｅ  １０（Ｒｅｌ−１０）までのキャリアアグリゲーションでは、図１の左図に示されるように、ユーザ装置が同一の基地局により提供される複数のコンポーネントキャリアを用いて同時通信することが規定されている。一方、Ｒｅｌ−１２では、Ｒｅｌ−１０のキャリアアグリゲーションがさらに拡張され、図１の右図に示されるように、ユーザ装置が複数の基地局により提供される複数のコンポーネントキャリアを用いて同時通信するＤｕａｌ  Ｃｏｎｎｅｃｔｉｖｉｔｙが検討されている。例えば、全てのコンポーネントキャリアを単一の基地局内に収容できない場合、Ｒｅｌ−１０と同程度のスループットを実現するためには、Ｄｕａｌ  Ｃｏｎｎｅｃｔｉｖｉｔｙが効果的に利用されると考えられる。
【０００６】
Ｄｕａｌ  Ｃｏｎｎｅｃｔｉｖｉｔｙでは、図２に示されるように、ユーザ装置（ＵＥ）は、１つのＥＰＳ（Ｅｖｏｌｖｅｄ  Ｐａｃｋｅｔ  Ｓｙｓｔｅｍ）ベアラ又はパケットシーケンスを所定の方法により分割し、分割された各パケットシーケンスを複数の基地局（ｅＮＢ＃１，ｅＮＢ＃２）によって提供されたコンポーネントキャリアを用いて同時送信するベアラスプリット（Ｂｅａｒｅｒ  Ｓｐｌｉｔｔｉｎｇ）が検討されている。具体的には、図示されるように、ユーザ装置は、送信対象のＥＰＳベアラを特定の比率（図示された例では、ｅＮＢ＃１：ｅＮＢ＃２＝４：３）でｅＮＢ＃１及びｅＮＢ＃２宛てのパケットシーケンスに分割し、分割した各パケットシーケンスをそれぞれコンポーネントキャリアＣＣ＃１，ＣＣ＃２により基地局ｅＮＢ＃１，ｅＮＢ＃２に送信する。ＣＣ＃２を介し分割されたパケットシーケンスを受信すると、非アンカーノード基地局であるｅＮＢ＃２は、受信したパケットシーケンスをアンカー基地局であるｅＮＢ＃１に転送する。ｅＮＢ＃２から転送されたパケットシーケンスを受信すると、ｅＮＢ＃１は、ＣＣ＃１を介し受信したパケットシーケンスと、ｅＮＢ＃２から受信したパケットシーケンスとをリオーダリングすることによってユーザ装置からのパケットシーケンスを再構成し、再構成したパケットシーケンスをコアノード（ＣＮ）に転送する。
【先行技術文献】
【非特許文献】
【０００７】
【非特許文献１】3GPP TR36.842 "Study on Small Cell enhancements for E-UTRA and E-UTRAN; Higher layer aspects"
【発明の概要】
【発明が解決しようとする課題】
【０００８】
アップリンクデータのベアラスプリットを実行する際のパケットの割り振り方法について、アップリンクデータを各コンポーネントキャリア又はコンポーネントグループ（ＣＧ）に割り振るデータ量の比率（図２の例では、ｅＮＢ＃１：ｅＮＢ＃２＝４：３）をセミスタティックに設定する方法が提案されている。
【０００９】
しかしながら、提案されたセミスタティックなデータ量比率設定方法では、データ量の比率が適切に設定されなかった場合、アップリンクのスループットを向上させることができない可能性がある。例えば、通信品質の劣化により、あるセルが割り振られたデータを送信するのに十分なスループットを実現できない場合、送信対象のアップリンクデータを保持する送信バッファにおいて、当該セルに割り振られたデータが滞留することになる。
【００１０】
上記問題点に鑑み、本発明の１つの課題は、Ｄｕａｌ  Ｃｏｎｎｅｃｔｉｖｉｔｙにおいてアップリンクデータを効率的に送信するための技術を提供することである。
【課題を解決するための手段】
【００１１】
上記課題を解決するため、本発明の一態様は、複数の基地局と同時通信するＤｕａｌ  Ｃｏｎｎｅｃｔｉｖｉｔｙ機能を有するユーザ装置であって、送信対象のアップリンクデータを格納する送信バッファと、前記送信バッファに格納されているデータ量を管理するバッファ状態管理部と、前記送信バッファに格納されているデータ量に対する閾値と、前記格納されているデータ量が前記閾値以下であるとき、前記送信バッファに格納されているアップリンクデータを送信する第１基地局とを示すスプリットトリガ情報を受信し、前記送信バッファに格納されているデータ量が前記閾値以下であるか否かに応じて、前記複数の基地局から前記送信バッファに格納されているアップリンクデータを送信する基地局を選択する送信制御部とを有するユーザ装置に関する。
【００１２】
本発明の他の態様は、複数の基地局と同時通信するＤｕａｌ  Ｃｏｎｎｅｃｔｉｖｉｔｙ機能を有するユーザ装置におけるアップリンクデータ送信方法であって、送信対象のアップリンクデータを格納する送信バッファに格納されているデータ量に対する閾値と、前記格納されているデータ量が前記閾値以下であるとき、前記送信バッファに格納されているアップリンクデータを送信する第１基地局とを示すスプリットトリガ情報を受信するステップと、前記送信バッファに格納されているデータ量が前記閾値以下であるか判定するステップと、前記判定の結果に応じて、前記複数の基地局から前記送信バッファに格納されているアップリンクデータを送信する基地局を選択するステップと、前記選択された基地局に前記アップリンクデータを送信するステップとを有するアップリンクデータ送信方法に関する。
【発明の効果】
【００１３】
本発明によると、Ｄｕａｌ  Ｃｏｎｎｅｃｔｉｖｉｔｙにおいてアップリンクデータを効率的に送信するための技術を提供することができる。
【図面の簡単な説明】
【００１４】
【図１】図１は、キャリアアグリゲーションを示す概略図である。
【図２】図２は、Ｄｕａｌ  Ｃｏｎｎｅｃｔｉｖｉｔｙにおけるベアラスプリットを示す概略図である。
【図３】図３は、本発明の一実施例による無線通信システムを示す概略図である。
【図４】図４は、本発明の一実施例によるユーザ装置の構成を示すブロック図である。
【図５】図５は、本発明の一実施例によるアップリンクデータ送信処理を示す概略図である。
【図６】図６は、本発明の一実施例によるアップリンクデータ送信処理を示す概略図である。
【図７】図７は、本発明の一実施例によるバッファサイズレベルを示すインデックス値を示すテーブルである。
【図８】図８は、本発明の一実施例によるアップリンクデータ送信処理を示すフロー図である。
【発明を実施するための形態】
【００１５】
以下、図面に基づいて本発明の実施の形態を説明する。
【００１６】
複数の基地局と同時通信するＤｕａｌ  Ｃｏｎｎｅｃｔｉｖｉｔｙ機能を有するユーザ装置が開示される。ユーザ装置は、複数の基地局へのアップリンクデータの分割送信（ベアラスプリット）をトリガする情報を示すスプリットトリガ情報をマスタ基地局から受信する。当該スプリットトリガ情報は、送信対象のアップリンクデータを格納する送信バッファに格納されているデータ量に対する閾値と、格納されているデータ量が閾値以下であるとき、送信バッファに格納されているアップリンクデータを送信する基地局とを示す。ユーザ装置は、格納されているデータ量が閾値以下であるとき、送信バッファに格納されているデータ量が閾値以下であるか否かに応じて、複数の基地局から送信バッファに格納されているアップリンクデータを送信する基地局を選択する。
【００１７】
一実施例では、送信バッファに格納されているデータ量が閾値以下であるとき、ユーザ装置は、送信バッファに格納されているアップリンクデータをスプリットトリガ情報において指定された基地局に送信し、送信バッファに格納されているデータ量が閾値より大きいとき、送信バッファに格納されているアップリンクデータのうち、閾値に相当するデータ量のアップリンクデータを指定された基地局に送信し、閾値を超過したデータ量のアップリンクデータを他の基地局に送信する。
【００１８】
これにより、送信対象のパケットを複数の基地局に割り振るための比率をセミスタティックに設定する方法と比較して、例えば、スプリットトリガ情報の閾値及び指定される基地局を適切に設定することによって、アップリンクのスループットを向上させることが期待できる。
【００１９】
図３を参照して、本発明の一実施例による無線通信システムを説明する。図３は、本発明の一実施例による無線通信システムを示す概略図である。
【００２０】
図３に示されるように、無線通信システム１０は、ユーザ装置１００及び基地局２００Ａ，２００Ｂを有する。無線通信システム１０は、ユーザ装置１００が複数の基地局２００Ａ，２００Ｂにより提供されるコンポーネントキャリアＣＣ＃１，ＣＣ＃２を用いて同時通信するＤｕａｌ  Ｃｏｎｎｅｃｔｉｖｉｔｙをサポートし、図示されるように、ユーザ装置１００は、Ｄｕａｌ  Ｃｏｎｎｅｃｔｉｖｉｔｙ機能を利用して、マスタ基地局（ＭｅＮＢ）２００Ａとセカンダリ基地局（ＳｅＮＢ）２００Ｂとの間で通信する。
【００２１】
ユーザ装置１００は、複数の基地局２００Ａ，２００Ｂと同時通信するＤｕａｌ  Ｃｏｎｎｅｃｔｉｖｉｔｙ機能を有する。典型的には、ユーザ装置１００は、図示されるように、スマートフォン、携帯電話、タブレット、モバイルルータなどの無線通信機能を備えた何れか適切な情報処理装置であってもよい。ユーザ装置１００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）やフラッシュメモリなどのメモリ装置、基地局２００Ａ，２００Ｂとの間で無線信号を送受信するための無線通信装置などから構成される。例えば、後述されるユーザ装置１００の各機能及び処理は、メモリ装置に格納されているデータやプログラムをＣＰＵが処理又は実行することによって実現されてもよい。しかしながら、ユーザ装置１００は、上述したハードウェア構成に限定されず、後述する処理の１以上を実現する回路などにより構成されてもよい。
【００２２】
基地局２００Ａ，２００Ｂ（以降、基地局２００として総称されてもよい）は、ユーザ装置１００と無線接続することによって、コアネットワーク（図示せず）上に通信接続された上位局やサーバなどのネットワーク装置から受信したダウンリンク（ＤＬ）パケットをユーザ装置１００に送信すると共に、ユーザ装置１００から受信したアップリンク（ＵＬ）パケットをネットワーク装置に送信する。図示された実施例では、基地局２００Ａがマスタ基地局（ＭｅＮＢ）又はプライマリ基地局として機能し、基地局２００Ｂがセカンダリ基地局（ＳｅＮＢ）として機能する。Ｄｕａｌ  Ｃｏｎｎｅｃｔｉｖｉｔｙでは、マスタ基地局２００Ａが、ユーザ装置１００と基地局２００Ａ，２００Ｂとの間のＤｕａｌ  Ｃｏｎｎｅｃｔｉｖｉｔｙによる同時通信を制御すると共に、上位のコアネットワーク（図示せず）との間の通信を制御する。
【００２３】
Ｄｕａｌ  Ｃｏｎｎｅｃｔｉｖｉｔｙでは、マスタ基地局２００Ａは、セカンダリ基地局２００ＢのセカンダリセルＣＣ＃２をユーザ装置１００に対して設定し、プライマリセルＣＣ＃１及びセカンダリセルＣＣ＃２を介し受信されたアップリンクデータをコアネットワークに転送する。具体的には、ユーザ装置１００は、所定の分割方法に従ってアップリンクデータを２つのパケットシーケンスに分割し、分割した各パケットシーケンスをそれぞれＣＣ＃１及びＣＣ＃２を介しマスタ基地局２００Ａ及びセカンダリ基地局２００Ｂに送信する。ユーザ装置１００から分割されたパケットシーケンスを受信すると、セカンダリ基地局２００Ｂは、受信したパケットシーケンスをマスタ基地局２００Ａに転送する。転送されたパケットシーケンスを受信すると、マスタ基地局２００Ａは、セカンダリ基地局２００Ｂから受信したパケットと、ユーザ装置１００からＣＣ＃１を介し受信したパケットとに対してリオーダリング処理を実行することによってパケットシーケンスを再構成し、再構成されたパケットシーケンスをコアネットワークに転送する。
【００２４】
次に、図４を参照して、本発明の一実施例によるユーザ装置を説明する。図４は、本発明の一実施例によるユーザ装置の構成を示すブロック図である。
【００２５】
図４に示されるように、ユーザ装置１００は、送信バッファ１１０、バッファ状態管理部１２０及び送信制御部１３０を有する。
【００２６】
送信バッファ１１０は、送信対象のアップリンクデータを格納する。一実施例では、送信バッファ１１０は、アップリンクＰＤＣＰ（Ｐａｃｋｅｔ  Ｄａｔａ  Ｃｏｎｖｅｒｇｅｎｃｅ  Ｐｒｏｔｏｃｏｌ）  ＰＤＵ（Ｐｒｏｔｏｃｏｌ  Ｄａｔａ  Ｕｎｉｔ）を格納する。各ＰＤＣＰ  ＰＤＵにはシーケンス番号（ＰＤＣＰ  ＳＮ）が割り当てられるため、ＰＤＣＰ  ＰＤＵのパケットシーケンスは、当該シーケンス番号に基づきリオーダリングすることが可能である。
【００２７】
バッファ状態管理部１２０は、送信バッファ１１０に格納されているデータ量を管理する。例えば、バッファ状態管理部１２０は、送信バッファ１１０に格納されているデータのバイト数を決定し、決定したバイト数を送信制御部１３０に通知する。一実施例では、バッファ状態管理部１２０は、送信バッファ１１０に格納されているデータ量をモニタリングし、定期的に又は所定の通知イベントの発生に応答して、モニタリングしたデータ量を送信制御部１３０に通知してもよい。例えば、バッファ状態管理部１２０は、送信制御部１３０からの指示に応答して、送信バッファ１１０に格納されているデータ量を検出し、検出したデータ量を送信制御部１３０に通知してもよい。
【００２８】
送信制御部１３０は、送信バッファ１１０に格納されているデータ量に対する閾値と、格納されているデータ量が閾値以下であるとき、送信バッファ１１０に格納されているアップリンクデータを送信する基地局２００Ａ又は基地局２００Ｂとを示すスプリットトリガ情報を受信し、送信バッファ１１０に格納されているデータ量が閾値以下であるか否かに応じて、送信バッファ１１０に格納されているアップリンクデータを送信する基地局２００Ａ又は基地局２００Ｂを選択する。
【００２９】
ここで、スプリットトリガ情報は、マスタ基地局２００Ａ及びセカンダリ基地局２００Ｂへのアップリンクデータの分割送信（ベアラスプリット）をトリガする情報を示す。例えば、スプリットトリガ情報により指定される基地局２００は、より高いスループットが期待できるセルを提供する基地局２００Ａ又は２００Ｂ、又は所定レベル以上のスループットを安定的に実現できるセルを提供する基地局２００Ａ又は２００Ｂであってもよい。また、当該閾値は、指定された基地局２００のセルを利用して所定レベル以上のスループットを担保できるデータ量であってもよく、あるいは、指定された基地局２００においてユーザ装置１００にスケジューリング可能な最大無線リソースを利用して送信可能なデータ量であってもよい。しかしながら、本発明はこれに限定されるものでなく、何れか適切な基準により選択された基地局及び／又は閾値が利用されてもよい。一実施例では、送信制御部１３０は、ベアラスプリット又は分割送信がＲＲＣにより設定される際に、Ｄｕａｌ  Ｃｏｎｎｅｃｔｉｖｉｔｙのマスタ基地局２００Ａからスプリットトリガ情報を受信してもよい。
【００３０】
一実施例では、送信制御部１３０は、送信バッファ１１０に格納されているデータ量が閾値以下であるとき、送信バッファ１１０に格納されているアップリンクデータをスプリットトリガ情報に指定される基地局２００Ａ又は基地局２００Ｂに送信し、送信バッファ１１０に格納されているデータ量が閾値より大きいとき、送信バッファ１１０に格納されているアップリンクデータを指定された基地局２００Ａ及び基地局２００Ｂに送信してもよい。他方、送信制御部１３０は、送信バッファ１１０に格納されているデータ量が閾値より大きいとき、送信バッファ１１０に格納されているアップリンクデータのうち、閾値に相当するデータ量のアップリンクデータを指定された基地局２００Ａ又は２００Ｂに送信し、閾値を超過したデータ量のアップリンクデータを他方の基地局２００Ａ又は２００Ｂに送信してもよい。
【００３１】
図５に示されるように、例えば、送信制御部１３０がマスタ基地局２００Ａからスプリットトリガ情報を受信し、当該スプリットトリガ情報が８９２７２バイトの閾値を指定すると共に、送信バッファ１１０に格納されているデータ量が８９２７２バイト以下である間は、送信バッファ１１０に格納されているアップリンクデータを送信すべき基地局としてマスタ基地局２００Ａを指定していると仮定する。図５の例では、送信バッファ１１０に格納されているデータ量は６０７４バイトであり、指定された閾値以下であるため、送信制御部１３０は、格納されているアップリンクデータをＣＣ＃１を介しマスタ基地局２００Ａのみに送信する。すなわち、送信制御部１３０は、格納されているデータ量が閾値以下である間は、アップリンクデータの送信にセカンダリ基地局２００Ｂを使用しない。一実施例では、送信制御部１３０は、アップリンクデータを送信するための無線リソースを要求するため、マスタ基地局２００Ａに送信されるアップリンクデータのデータ量を通知してもよい。例えば、送信制御部１３０は、送信されるアップリンクデータのデータ量をＢＳＲ（Ｂｕｆｆｅｒ  Ｓｔａｔｕｓ  Ｒｅｐｏｒｔ）によりマスタ基地局２００Ａに通知してもよい。当該通知を受信すると、マスタ基地局２００Ａは、６０７４バイトのアップリンクデータを送信するための無線リソースをユーザ装置１００にスケジューリングする。送信制御部１３０は、スケジューリングされた無線リソースを用いてアップリンクデータをマスタ基地局２００Ａに送信する。
【００３２】
他方、図６の例に示されるように、送信バッファ１１０に格納されているデータ量が１０００００バイトになり、指定された閾値を超過すると、送信制御部１３０は、格納されている１０００００バイトのアップリンクデータのうち、閾値に相当する８９２７２バイトのアップリンクデータをＣＣ＃１を介しマスタ基地局２００Ａに送信し、閾値を超過した１０７２８バイト（＝１０００００バイト−８９２７２バイト）のアップリンクデータをＣＣ＃２を介しセカンダリ基地局２００Ｂに送信する。すなわち、送信制御部１３０は、格納されているデータ量が閾値を超過すると、セカンダリ基地局２００Ｂにアップリンクデータを送信し始める。一実施例では、送信制御部１３０は、アップリンクデータを送信するための無線リソースを要求するため、マスタ基地局２００Ａ及びセカンダリ基地局２００Ｂに各自に送信されるアップリンクデータのデータ量を通知してもよい。例えば、送信制御部１３０は、送信されるアップリンクデータのデータ量をＢＳＲによりマスタ基地局２００Ａ及びセカンダリ基地局２００Ｂに通知してもよい。当該通知を受信すると、マスタ基地局２００Ａは、８９２７２バイトのアップリンクデータを送信するための無線リソースをユーザ装置１００にスケジューリングし、セカンダリ基地局２００Ｂは、１０７２８バイトのアップリンクデータを送信するための無線リソースをユーザ装置１００にスケジューリングする。送信制御部１３０は、スケジューリングされた無線リソースを用いてアップリンクデータをマスタ基地局２００Ａ及びセカンダリ基地局Ｂに送信する。なお、図５，６に示された実施例では、スプリットトリガ情報においてマスタ基地局２００Ａが指定されたが、本発明はこれに限定されるものでなく、セカンダリ基地局２００Ｂが指定されてもよい。
【００３３】
一実施例では、送信制御部１３０は、送信バッファ１１０に格納されているデータ量の各範囲と、該範囲を示すインデックス値との関連付けを示す対応情報を有し、送信制御部１３０は、対応するインデックス値により示された閾値を有するスプリットトリガ情報を受信してもよい。同様に、送信制御部１３０は、マスタ基地局２００Ａ及びセカンダリ基地局２００Ｂに送信されるアップリンクデータのデータ量を対応するインデックス値によりマスタ基地局２００Ａ及びセカンダリ基地局２００Ｂに通知してもよい。例えば、当該対応情報は、図７に示されるようなテーブル形式により構成されてもよい。図７に示された対応情報によると、図５，６の具体例における８９２７２バイトの閾値はインデックス４５に相当し、マスタ基地局２００Ａは、スプリットトリガ情報においてインデックス４５により当該閾値を指定してもよい。同様に、図５の具体例において、送信制御部１３０は、メイン基地局２００Ａに送信される６０７４バイトのデータ量をＢＳＲにおいてインデックス３２により通知してもよい。また、図６の具体例において、送信制御部１３０は、メイン基地局２００Ａに送信される８９２７２バイトのデータ量をＢＳＲにおいてインデックス４５により通知し、セカンダリ基地局２００Ｂに送信される１０７２８バイトのデータ量をＢＳＲにおいてインデックス３５により通知してもよい。このように、インデックスを用いてデータ量を表現することは、データ量をビット表示するのと比較して、より少ないビット数によりデータ量を示すことを可能にする。
【００３４】
次に、図８を参照して、本発明の一実施例によるユーザ装置におけるアップリンクデータ送信処理を説明する。図８は、本発明の一実施例によるユーザ装置におけるアップリンクデータ送信処理を示すフロー図である。
【００３５】
図８に示されるように、ステップＳ１０１において、ユーザ装置１００は、送信対象のアップリンクデータを格納する送信バッファ１１０に格納されているデータ量に対する閾値と、格納されているデータ量が閾値以下であるとき、送信バッファ１１０に格納されているアップリンクデータを送信する基地局２００Ａ又は２００Ｂとを示すスプリットトリガ情報を受信する。一実施例では、ユーザ装置１００は、ベアラスプリットがＲＲＣにより設定される際に、マスタ基地局２００Ａからスプリットトリガ情報を受信してもよい。また、ユーザ装置１００は、送信バッファ１１０に格納されているデータ量の各範囲と、該範囲を示すインデックス値との関連付けを示す対応情報を予め有してもよく、当該閾値は、インデックス値により指定されてもよい。以下において、スプリットトリガ情報は、限定することなく、マスタ基地局２００Ａを指定していると仮定する。
【００３６】
ステップＳ１０２において、ユーザ装置１００は、送信バッファ１１０に格納されているデータ量が閾値以下であるか判定する。ステップＳ１０２の判定結果に応じて、ユーザ装置１００は、基地局２００Ａ，２００Ｂから送信バッファ１１０に格納されているアップリンクデータを送信する基地局２００Ａ又は基地局２００Ｂを選択する。
【００３７】
送信バッファ１１０に格納されているデータ量が閾値以下である場合（Ｓ１０２：Ｙｅｓ）、ユーザ装置１００は、スプリットトリガ情報において指定されたマスタ基地局２００Ａにアップリンクデータを送信する。他方、送信バッファ１１０に格納されているデータ量が閾値を超過する場合（Ｓ１０２：Ｎｏ）、ユーザ装置１００は、閾値に相当するデータ量のアップリンクデータをスプリットトリガ情報において指定されたマスタ基地局２００Ａに送信し、閾値を超過したデータ量のアップリンクデータ、すなわち、残りのアップリンクデータをセカンダリ基地局２００Ｂに送信する。一実施例では、ユーザ装置１００は、アップリンクデータを送信するための無線リソースを要求するため、マスタ基地局２００Ａ及び／又はセカンダリ基地局２００Ｂに送信されるアップリンクデータのデータ量をＢＳＲにより通知してもよい。また、当該データ量は、インデックス値により通知されてもよい。
【００３８】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００３９】
１０  無線通信システム
１００  ユーザ装置
２００Ａ，２００Ｂ  基地局
【図１】
2015177530.tif 000003
【図２】
2015177530.tif 000004
【図３】
2015177530.tif 000005
【図４】
2015177530.tif 000006
【図５】
2015177530.tif 000007
【図７】
2015177530.tif 000008
【図８】
2015177530.tif 000009
【図６】
2015177530.tif 000010